【事件の表示】
　特願２００２−　　５１２８「再生装置」拒絶査定不服審判事件〔平成１４年　８月１６日出願公開、特開２００２−２３０９０８〕について、次のとおり審決する。
【結　論】
　本件審判の請求は、成り立たない。
【理　由】
　
１．手続の経緯・本願発明
　本件審判の請求に係る出願（以下、「本願」という。）は、平成４年５月13日に出願された特願平4-146916号の一部を平成14年１月11日に新たな特許出願としたものであって、その請求項１〜６に係る発明は、平成17年３月28日付けの手続補正によって補正された明細書の特許請求の範囲の請求項１〜６に記載されたとおりのものと認められるところ、その請求項１に係る発明（以下、「本願発明」という。）は、次のとおりのものである。
　
「【請求項１】
　種類の異なる複数の光ディスクからデータを再生する再生手段と、
　光ディスクが挿入されたとき、上記再生手段により再生される光ディスクがオーディオデータ専用ディスクである第１のディスクであるかプログラムデータが記録された第２のディスクであるかを判別する判別手段と、
　着脱自在に設けられる不揮発性メモリ手段からデータを読み出す読み出し手段と、
　上記判別手段により、上記再生手段により再生されるディスクが第２のディスクであると判別されたときにのみ、上記再生手段により再生されたプログラムデータに対応するデータを上記不揮発性メモリ手段から読み出すように上記読み出し手段を制御する制御手段とを備える再生装置。」
　
２．引用例
　
〔2-1〕引用例１（特開平2-94166号公報）
　一方、原査定の拒絶の理由に引用された本願出願前に頒布された刊行物である特開平2-94166号公報（以下、「引用例１」という。）は、コンパクトディスク再生装置に関するもので、図面とともに次の技術事項が記載されている。
(i)「〔産業上の利用分野〕
　本発明は、CD-DA用ディスク、CD-ROM用ディスク及びCD-I用ディスク等他種類のコンパクトディスクが再生可能なコンパクトディスク再生装置に関する。」（第１頁左下欄第20行〜同頁右下欄第４行）
(ii)「最近注目されているのが、CD-Iプレーヤである。CD-Iプレーヤとは、上記音楽再生専用CDプレーヤと、CD-ROMドライブ及びパーソナルコンピュータが一体化されたような装置である。」（第１頁右下欄第11〜15行）
(iii)「コンパクトディスクが挿入されると、ディスク判別回路によりコンパクトディスクの種別が判別される。
　もし、判別されたディスクがCD-DAディスクであると、CD-I用ディスク再生用ブロックへの電源は電力制御回路を通して電源供給が停止される。
　・・・・・
　一方、判別されたディスクがCD-I用ディスクであると、装置全体の機能が必要となることから、もし以前に再生されていたディスクがCD-DA用ディスクであり電力制御回路によりCD-I用ディスク再生用ブロックへの電源供給が停止されていた場合、電力制御回路によってCD-I用ディスク再生用ブロックへの電源供給が開始され、CD-I用ディスクプレーヤとしての機能動作が実施される。」（第２頁左下欄第14行〜同頁右下欄第13行）
(iv)「CD-DA用ディスク、CD-ROM用ディスク及びCD-I用ディスク等多種類のコンパクトディスクが再生可能なコンパクトディスク再生装置において、
　挿入されたコンパクトディスクの種別を判別し各コンパクトディスクの判別信号を出力するディスク判別回路と、
　各判別信号に応じて所定機能ブロックに対する電源供給をON/OFFする電力制御回路と、
　該電力制御回路による電力供給が最初であるか否かを判定する電源投入判定回路と、
　を具備することを特徴とするコンパクトディスク再生装置。」（特許請求の範囲）
　
　上記摘記事項及び図面の記載を参酌すると、引用例１には、次の発明が記載されているものと認める。
　
　「CD-DA用ディスク、CD-ROM用ディスク及びCD-I用ディスク等多種類のコンパクトディスクが再生可能な再生手段と、
　挿入されたコンパクトディスクの種別を判別し各コンパクトディスクの判別信号を出力するディスク判別回路と、
　各判別信号に応じて所定機能ブロックに対する電源供給をON/OFFする電力制御回路と、
　該電力制御回路による電力供給が最初であるか否かを判定する電源投入判定回路と、
　を備えるコンパクトディスク再生装置。」
　
〔2-2〕引用例２（特開平3-91179号公報）
　同じく、原査定の拒絶の理由に引用された本願出願前に頒布された刊行物である特開平3-91179号公報（以下、「引用例２」という。）は、CD-ROMプレーヤ等の情報再生装置に関するもので、図面とともに次の技術事項が記載されている。
(i)「〔産業上の利用分野〕
　本発明は音楽またはデータまたは映像あるいはこれらの情報を混合して記録している再生ディスクを再生するシーディロム（以下CD-ROMと言う）プレーヤ等の情報再生装置に関するものである。」（第１頁右下欄第２〜７行）
(ii)「コンピュータ端末装置としての記録媒体としては、上述のCD-ROMの他にシーディーアイ（以下CD-Iという）ディスクが検討されつつあり、このCD-IディスクはCD-ROMと同形状ながらディスク上にコントロールプログラムを有し、記録媒体としてより強化されたものであるが、上記CD-ROMプレーヤでこのCD-Iディスクを再生した場合、CD-Iディスクのリードインエリアには最初の曲番や、それの開始時刻が記録されていないため前記情報を検出できず、初期動作が終了しないという課題を有していた。
　本発明はどのような再生ディスクであっても、初期動作を終了し、再生ディスクがCD-Iディスクの場合はホストに対し再生中のディスクがCD-Iディスクであることを知らせるCD-ROMプレーヤを提供することを目的とする。」（第２頁左上欄第11行〜同頁右上欄第７行）
(iii)「課題を解決するための手段
　この目的を達成するために本発明の情報再生装置は、ディスクを再生する再生回路と、・・・・・、前記リードインエリアの情報を読み取り再生ディスクがCD-Iディスクか否かを判別する判別回路と、ホストとコマンド・ステータスの授受及びプレーヤの制御を行う制御回路及び信号パスを有し、前記判別の結果再生ディスクがCD-Iディスクでないときはディスクのリードインエリアに記憶されている上記ディスクの最初の曲版の開始時刻位置に光学ヘッドを移動させて初期動作を終了し、再生ディスクがCD-Iディスクのときは、再生ディスクのデータエリアの絶対時間０の位置に光学ヘッドを移動させて初期動作を終了し、ホストに信号パスを通してCD-Iディスク再生中であることを知らせるという構成を有するものである。」（第２頁左上欄第11行〜同頁左下欄第４行）
　
〔2-3〕引用例３（実願平1-141942号のマイクロフィルム）
　同じく、原査定の拒絶の理由に引用された本願出願前に頒布された刊行物である実願平1-141942号（実開平3-80786号）のマイクロフィルム（以下、「引用例３」という。）には、図面とともに次の技術事項が記載されている。
(i)「この考案は、テレビゲーム機、特にゲームを途中から係属することができるテレビゲーム機に関する。」（第２頁第３〜５行）
(ii)「現在のテレビゲーム機では、電源を切ると進行中のゲームの状態が失われてしまうため、後日その状態からゲームを再開することはできなかった。
　・・・・・
　そこで、この考案の課題は、ゲームを継続するのに必要な情報をセーブしておく手段を有するテレビゲーム機を提供することである。」（第２頁第12〜19行）　
(iii)「上記の課題を解決するため、この考案においては、少なくともゲームプログラム、図形情報、音声情報を記憶した不揮発性メモリから成るメモリカセットを着脱自在に接続するための第１の接続手段と、外部操作手段の指示に基づいて前記メモリカセットからの情報を処理しながら前記ゲームプログラムの進行状況を一時的に記憶するワークRAMと、バックアップ電源を有するRAMを含むICカードを着脱自在に接続するための第２の接続手段によってテレビゲーム機を構成し、前記プロセッサは、前記操作手段の指示に従って、前記ワークRAM中のゲーム進行状況を前記ICカードのRAMにセーブするか、またはICカードにセーブされたゲーム進行状況を前記ワークRAMに読み込んでその状態からゲームを継続する手段を有することをその特徴とする。」（第３頁第１〜17行）
(iv)「ICカードにはバックアップ電源が内蔵されているので、そのRAMに記憶されたゲーム進行状況が失われることはない。従って、必要に応じてゲームの途中でその進行状況をICカードに記憶させておくことができ、後日、ICかーどの記憶内容を読み取ればゲームを中途から継続することができる。」（第３頁第19行〜第４頁第５行）
(v)「ICカード40の一例を第４図に示す。図中、41はスタティックRAMであり、ゲーム途中の進行状況を再開に必要なパラメータとして記憶するものであって、ゲーム内容によって異なるが、例えばゲーム主人公の持ち点、ゲーム主人公の現在位置、時間制ゲームでは残り時間、プレイヤの得点、到達ステージ数などである。」（第６頁第３〜９行）
(vi)「ゲームを途中から再開する場合には、コネクタ21に接続されたICカード40のRAM41の内容をワークRAM20に読み込み、ゲーム再開に必要なパラメータをCPU13に与え、そこからゲームを継続する。」（第８頁第10〜14行）
　
３．対比
　本願発明と引用例１に記載された発明とを対比する。
　引用例１に記載された発明における「CD-DA用ディスク、CD-ROM用ディスク及びCD-I用ディスク等多種類のコンパクトディスク」は、本願発明における「種類の異なる複数の光ディスク」のことである。
　引用例１に記載された発明における「CD-DAディスク」、及び、「CD-ROMディスク及びCD-Iディスク」は、それぞれ、本願発明における「オーディオデータ専用ディスクである第１のディスク」、及び、「プログラムデータが記録された第２のディスク」に相当する。
　引用例１に記載された発明における「各コンパクトディスクの判別信号に応じて所定機能ブロックに対する電源供給をON/OFFする電力制御回路」及び「該電力制御回路による電力供給が最初であるか否かを判定する電源投入判定回路」は、「判別回路（判別手段）からの判別信号に応じて再生装置の動作を制御する手段」という意味に限って、本願発明における「読み出し手段」及び「制御手段」と共通することは明らかである。
　
　そうすると、本願発明と引用例１に記載された発明とは、次の点で一致する。
 一致点
「種類の異なる複数の光ディスクからデータを再生する再生手段と、
　光ディスクが挿入されたとき、上記再生手段により再生される光ディスクがオーディオデータ専用ディスクである第１のディスクであるかプログラムデータが記録された第２のディスクであるかを判別する判別手段と、
　上記判別手段からの判別信号に応じて再生装置の動作を制御する手段と、
　を備える再生装置。」
　
そして、次の点で相違する。
 相違点
　「判別手段からの判別信号に応じて再生装置の動作を制御する手段」に関し、本願発明においては、着脱自在に設けられる「不揮発性メモリ手段」からデータを読み出す「読み出し手段」と、判別手段により、再生手段により再生されるディスクが第２のディスクであると判別されたときにのみ、上記再生手段により再生されたプログラムデータに対応するデータを上記不揮発性メモリ手段から読み出すように上記読み出し手段を制御する「制御手段」とから構成されるものであるのに対し、引用例１に記載された発明においては、このような「読み出し手段」及び「制御手段」を備えることは特に示されていない点。
　
４．当審の判断
　そこで、上記相違点について検討する。
　引用例１に記載された発明は、光ディスクが挿入されたとき、再生手段により再生される光ディスクがCD-DAディスク（オーディオデータ専用ディスクである第１のディスク）であるか、CD-ROMディスク、CD-Iディスク（プログラムデータが記録された第２のディスク）であるかを判別し、各判別信号に応じて再生装置の動作を制御するものであり、CD-ROMディスク、CD-Iディスク（プログラムデータが記録された第２のディスク）の場合には、その動作は該ディスクに記録されているデータを読み出してプログラムを実行するものであることは明らかである（なお、挿入された光ディスクがCD-Iディスクであるか否かを判別すること自体は、上記引用例２にもみられるように本願出願前に周知の技術である。）。
　また、引用例３には、ゲームプログラムを記憶した着脱自在なメモリカセットからゲームプログラムを読み出してゲームを行うテレビゲーム機に関するものであって、ゲーム途中の進行状況をゲーム再開に必要なパラメータとして記憶したICカード（不揮発性メモリ手段）を着脱自在に設け、ゲームを途中から継続（再開）する場合には、ICカード（不揮発性メモリ手段）の内容を読み込んで実行することが記載されている。
　したがって、引用例１に記載された発明において、CD-ROMディスク、CD-Iディスク（プログラムデータが記録された第２のディスク）を判別して該ディスクに記録されているデータを読み出してプログラムを実行する際においても、引用例３に記載されたもののように、プログラムを途中から継続して実行しようとする場合には、実行した結果（データ）を記憶するICカード（不揮発性メモリ手段）を再生装置に着脱自在に設け、ディスクから再生されたプログラムデータに対応するデータをこのICカード（不揮発性メモリ手段）から読み出すように制御する（読み出し手段と制御手段とを備える）ことは当業者が容易に想到できたものである。
　
　そして、本願発明の奏する効果は上記各引用例に記載されたものから当業者が十分に予測可能なものであって、格別のものとはいえない。
　
５．むすび
　以上のとおり、本願の請求項１に係る発明は、引用例１乃至３に記載された発明に基づいて当業者が容易に発明をすることができたものと認められるので、特許法第29条第２項の規定により特許を受けることができない。
　したがって、本願は、その余の請求項について論及するまでもなく、拒絶すべきものである。
　
　よって、結論のとおり審決する。